(57)【要約】【課題】サングラス着用時にも全角度でイメージを認知することができるフォルダブル表示装置を提供する。【解決手段】フォルダブル表示装置は表示モジュール、表示モジュール上に配置された反射防止ユニット、上部リターダ、ウインドウユニット、及びこれらを結合する接着部材を含む。反射防止ユニットは偏光子及び前記入力感知ユニットと前記偏光子との間に配置された少なくとも１つの下部リターダを含む。上部リターダは４Ｇｐａ以上１００ＧＰａ以下のヤング率を有する。表示モジュールの上面から前記ウインドウユニットの上面までの厚さは８０μｍ以上５８０μｍ以下である。【選択図】図４Ｂ
2020034916.tif 000002
【特許請求の範囲】
【請求項１】
表示パネルと、
前記表示パネル上に直接配置された入力感知ユニットと、
前記入力感知ユニット上に配置され、偏光子及び前記入力感知ユニットと前記偏光子との間に配置された少なくとも１つの下部リターダを含む反射防止ユニットと、
前記反射防止ユニット上に配置され、４Ｇｐａ以上１００ＧＰａ以下のヤング率を有する上部リターダと、
前記上部リターダ上に配置されたウインドウユニットと、
前記入力感知ユニットと前記ウインドウユニットとの間に配置された少なくとも１つの接着部材と、を含み、
前記入力感知ユニットの上面から前記ウインドウユニットの上面までの厚さは、１３０μｍ以上５４０μｍ以下であるフォルダブル表示装置。
【請求項２】
前記上部リターダの厚さは、１μｍ以上８０μｍ以下である請求項１に記載のフォルダブル表示装置。
【請求項３】
前記少なくとも１つの接着部材の厚さは、５μｍ以上１００μｍ以下である請求項１に記載のフォルダブル表示装置。
【請求項４】
前記ウインドウユニットの厚さは、３０μｍ以上１３０μｍ以下である請求項１に記載のフォルダブル表示装置。
【請求項５】
前記偏光子の偏光軸は、前記フォルダブル表示装置の折り曲げ軸と実質的に平行であるか、或いは実質的に直交する請求項１に記載のフォルダブル表示装置。
【請求項６】
前記下部リターダは、正分散型λ／２リターダ及び正分散型λ／４リターダを含み、
前記折り曲げ軸及び前記折り曲げ軸に直交する基準軸が定義する象限内で前記正分散型λ／２リターダの遅い軸と前記正分散型λ／４リターダの遅い軸（ｓｌｏｗ  ａｘｉｓ）は同一の象限に定義された請求項５に記載のフォルダブル表示装置。
【請求項７】
前記上部リターダの遅い軸と前記偏光子の前記偏光軸のとの角度は、１０°以上７５°以下である請求項６に記載のフォルダブル表示装置。
【請求項８】
前記下部リターダは、負分散型λ／４リターダを含み、前記下部リターダの遅い軸は、前記偏光子の前記偏光軸と４５°の角度をなす請求項５に記載のフォルダブル表示装置。
【請求項９】
前記ウインドウユニットは、５５０ｎｍ波長で０ｎｍ以上５００ｎｍ以下の位相差を有するベース層を含む請求項５に記載のフォルダブル表示装置。
【請求項１０】
前記偏光子の偏光軸は、前記フォルダブル表示装置の折り曲げ軸と４５°の角度を成し、
前記下部リターダは、負分散型λ／４リターダを含む請求項１に記載のフォルダブル表示装置。
【請求項１１】
前記ウインドウユニットは、ベース層を含み、前記ベース層は５５０ｎｍ波長で位相差を有し、前記位相差は、５００ｎｍ以下である請求項１０に記載のフォルダブル表示装置。
【請求項１２】
前記上部リターダは、５５０ｎｍ波長で５０００ｎｍ以上１１０００ｎｍ以下の位相差を有する請求項１に記載のフォルダブル表示装置。
【請求項１３】
前記上部リターダ及び前記下部リターダは、各々ベース層及び前記ベース層の一面上に配向された液晶層を含む請求項１に記載のフォルダブル表示装置。
【請求項１４】
前記表示パネルは、発光素子及び前記発光素子をカバーする複数の第１薄膜を含み、
前記入力感知ユニットは、前記複数の第１薄膜上に配置された導電パターン及び前記導電パターン上に配置された少なくとも１つの第２薄膜を含む請求項１に記載のフォルダブル表示装置。
【請求項１５】
前記導電パターンの中で少なくとも一部は、メッシュ形状である請求項１４に記載のフォルダブル表示装置。
【請求項１６】
表示パネル及び前記表示パネル上に直接配置された入力感知ユニットを含む表示モジュールと、
前記表示モジュールに結合された第１接着部材と、
前記第１接着部材に結合された反射防止ユニットと、
前記反射防止ユニットに結合された第２接着部材と、
前記第２接着部材に結合され、４Ｇｐａ以上１００ＧＰａ以下のヤング率を有する上部リターダと、
前記上部リターダに結合された第３接着部材と、
前記第３接着部材に結合され、５５０ｎｍ波長で０ｎｍ以上５００ｎｍ以下の位相差を有するウインドウユニットと、を含み、
前記反射防止ユニットは、前記第２接着部材の下側に配置された偏光子及び前記偏光子の下側に配置された正分散型λ／２リターダ、正分散型λ／４リターダを含み、
前記第１接着部材の下面から前記ウインドウユニットの上面までの厚さは、１３０μｍ以上５４０μｍ以下であるフォルダブル表示装置。
【請求項１７】
前記偏光子の偏光軸は、前記フォルダブル表示装置の折り曲げ軸と実質的に平行であるか、或いは、実質的に直交する請求項１６に記載のフォルダブル表示装置。
【請求項１８】
表示パネル及び前記表示パネル上に直接配置された入力感知ユニットを含む表示モジュールと、
前記表示モジュールに結合された第１接着部材と、
前記第１接着部材に結合された反射防止ユニットと、
前記反射防止ユニットに結合された第２接着部材と、
前記第２接着部材に結合され、４Ｇｐａ以上１００ＧＰａ以下のヤング率を有する上部リターダと、
前記上部リターダに結合された第３接着部材と、
前記第３接着部材に結合され、５５０ｎｍ波長で０ｎｍ以上５００ｎｍ以下の位相差を有するウインドウユニットと、を含み、
前記反射防止ユニットは、前記第２接着部材の下側に配置された偏光子及び前記偏光子の下側に配置された負分散型λ／４リターダを含み、
前記第１接着部材の下面から前記ウインドウユニットの上面までの厚さは、１３０μｍ以上５４０μｍ以下であるフォルダブル表示装置。
【請求項１９】
前記偏光子の偏光軸は、前記フォルダブル表示装置の折り曲げ軸と実質的に平行であるか、実質的に直交するか、或いは実質的に４５°の角度をなす請求項１８に記載のフォルダブル表示装置。
【請求項２０】
前記ウインドウユニットは、ベース層を含み、前記ベース層は５５０ｎｍ波長で位相差を有し、前記位相差は、５００ｎｍ以下である請求項１８に記載のフォルダブル表示装置。
【発明の詳細な説明】
【技術分野】
【０００１】
本発明はフォルダブル表示装置に係り、さらに具体的に不良が減少されたフォルダブル表示装置に係る。
【背景技術】
【０００２】
テレビジョン、携帯電話、タブレットコンピュータ、ナビゲーション、ゲーム機等のようなマルチメディア装置に使用される多様な表示装置が開発されている。マルチメディア装置の用途に適するように表示装置の形態が変更されている。
【０００３】
最近、多様な形態のフレキシブル表示装置が開発されている。例えば、ローラブル、フォルダブル、ストレッチャブル表示装置が開発されている。表示装置の形態に応じて予期せぬ不良が発生する。
【先行技術文献】
【特許文献】
【０００４】
【特許文献１】米国特許第９，６４５，４３８号明細書
【特許文献２】米国特許第１０，０３１，２６５号明細書
【発明の概要】
【発明が解決しようとする課題】
【０００５】
本発明の目的はサングラス着用時にも全角度でイメージを認知することができるフォルダブル表示装置を提供するにある。
【０００６】
本発明の目的は折り曲げ部の変色、レインボームラ現象が防止されたフォルダブル表示装置を提供するにある。
【０００７】
本発明の目的はリターダの剥離を防止することができるフォルダブル表示装置を提供するにある。
【課題を解決するための手段】
【０００８】
本発明の一実施形態に係るフォルダブル表示装置は表示モジュール、表示モジュール上に配置された反射防止ユニット、上部リターダ、ウインドウユニット、及びこれらを結合する接着部材を含む。反射防止ユニットは偏光子及び前記入力感知ユニットと前記偏光子との間に配置された少なくとも１つの下部リターダを含む。上部リターダは４Ｇｐａ以上１００ＧＰａ以下のヤング率を有する。表示モジュールの上面から前記ウインドウユニットの上面までの厚さは８０μｍ以上５８０μｍ以下である。
【０００９】
前記上部リターダの厚さは１μｍ以上８０μｍ以下である。
【００１０】
前記少なくとも１つの接着部材の厚さは５μｍ以上１００μｍ以下である。
【００１１】
前記ウインドウユニットの厚さは３０μｍ以上１３０μｍ以下である。
【００１２】
前記偏光子の偏光軸は前記フォルダブル表示装置の折り曲げ軸と実質的に平行であるか、或いは実質的に直交することができる。
【００１３】
前記下部リターダは正分散型λ／２リターダ及び正分散型λ／４リターダを含み、前記折り曲げ軸及び前記折り曲げ軸に直交する基準軸が定義する象限内で前記正分散型λ／２リターダの遅い軸と前記正分散型λ／４リターダの遅い軸（ｓｌｏｗａｘｉｓ）は同一の象限に定義されることができる。
【００１４】
前記上部リターダの遅い軸と前記偏光子の前記偏光軸との角度は１０°以上７５°以下である。
【００１５】
前記下部リターダは負分散型λ／４リターダを含み、前記下部リターダの遅い軸は前記偏光子の前記偏光軸と４５°の角度をなす。
【００１６】
前記ウインドウユニットは５５０ｎｍ波長で０ｎｍ以上５００ｎｍ以下の位相差を有するベース層を含むことができる。
【００１７】
前記偏光子の偏光軸は前記フォルダブル表示装置の折り曲げ軸と４５°の角度を成し、前記下部リターダは負分散型λ／４リターダを含むことができる。
【００１８】
前記ウインドウユニットはベース層を含み、前記ベース層は５５０ｎｍ波長で位相差を有し、前記位相差は５００ｎｍ以下である。
【００１９】
前記上部リターダは５５０ｎｍ波長で５０００ｎｍ以上１１０００ｎｍ以下の位相差を有する。
【００２０】
前記上部リターダ及び前記下部リターダはベース層及び前記ベース層の一面上に配向された液晶層を含む。
【００２１】
前記表示パネルは発光素子及び前記発光素子をカバーする複数の第１薄膜を含むことができる。前記入力感知ユニットは前記複数の第１薄膜上に配置された導電パターン及び前記導電パターン上に配置された少なくとも１つの第２薄膜を含むことができる。
【００２２】
前記導電パターンの中で少なくとも一部はメッシュ形状である。
【００２３】
本発明の一実施形態に係るフォルダブル表示装置は表示パネル及び前記表示パネル上に直接配置された入力感知ユニットを含む表示モジュール、前記表示モジュールに結合された第１接着部材、前記第１接着部材に結合された反射防止ユニット、前記反射防止ユニットに結合された第２接着部材、前記第２接着部材に結合され、４Ｇｐａ以上１００ＧＰａ以下のヤング率を有する上部リターダ、前記上部リターダに結合された第３接着部材及び前記第３接着部材に結合され、５５０ｎｍ波長で０ｎｍ以上５００ｎｍ以下の位相差を有するウインドウユニットを含むことができる。
【００２４】
前記反射防止ユニットは前記第２接着部材の下側に配置された偏光子及び前記偏光子の下側に配置された正分散型λ／２リターダ、正分散型λ／４リターダを含み、前記第１接着部材の下面から前記ウインドウユニットの上面までの厚さは１３０μｍ以上５４０μｍ以下である。
【００２５】
前記偏光子の偏光軸は前記フォルダブル表示装置の折り曲げ軸と実質的に平行であるか、或いは実質的に直交することができる。
【００２６】
本発明の一実施形態に係るフォルダブル表示装置は表示パネル及び前記表示パネル上に直接配置された入力感知ユニットを含む表示モジュール、前記表示モジュールに結合された第１接着部材、前記第１接着部材に結合された反射防止ユニット、前記反射防止ユニットに結合された第２接着部材、前記第２接着部材に結合され、４Ｇｐａ以上１００ＧＰａ以下のヤング率を有する上部リターダ、前記上部リターダに結合された第３接着部材及び前記第３接着部材に結合され、５５０ｎｍ波長で０ｎｍ以上５００ｎｍ以下の位相差を有するウインドウユニットを含み、前記反射防止ユニットは前記第２接着部材の下側に配置された偏光子及び前記偏光子の下側に配置された負分散型λ／４リターダを含むことができる。前記第１接着部材の下面から前記ウインドウユニットの上面までの厚さは１３０μｍ以上５４０μｍ以下である。
【００２７】
前記偏光子の偏光軸は前記フォルダブル表示装置の折り曲げ軸と実質的に平行であるか、実質的に直交するか、或いは実質的に４５°の角度をなす。
【００２８】
前記ウインドウユニットはベース層を含み、前記ベース層は５５０ｎｍ波長で位相差を有し、前記位相差は５００ｎｍ以下である。
【発明の効果】
【００２９】
本発明によれば、上部リターダをさらに含むことによって外部光の反射率が減少され、サングラス着用時にも全角度でイメージを認知することができる。
【００３０】
リターダの光学軸を所定の条件に配置させて折り曲げ部の変色現象を防止することができる。
【００３１】
所定のヤング率を有する上部リターダは表示装置の繰り返される折り曲げにも剥離が防止されることができる。フォルダブル表示装置の耐久性が向上されることができる。
【図面の簡単な説明】
【００３２】
【図１Ａ】本発明の一実施形態に係るフォルダブル表示装置の斜視図である。
【図１Ｂ】本発明の一実施形態に係るフォルダブル表示装置の斜視図である。
【図１Ｃ】本発明の一実施形態に係るフォルダブル表示装置の斜視図である。
【図２Ａ】本発明の一実施形態に係る表示装置の断面図である。
【図２Ｂ】本発明の一実施形態に係る表示装置の断面図である。
【図３Ａ】本発明の一実施形態に係る反射防止ユニットの断面図である。
【図３Ｂ】本発明の一実施形態に係る反射防止ユニットの断面図である。
【図４Ａ】本発明の一実施形態に係る表示装置の光学軸の関係を示した平面図である。
【図４Ｂ】本発明の一実施形態に係る表示装置の光の偏光状態を示した図面である。
【図４Ｃ】本発明の一実施形態に係る表示装置の光の偏光状態を示した図面である。
【図４Ｄ】サングラス着用時のブラックアウト不良を示した写真である。
【図４Ｅ】レインボームラ不良を示した写真である。
【図４Ｆ】折り曲げ部の変色不良を示した写真である。
【図５】本発明の一実施形態による表示装置の断面図である。
【図６Ａ】本発明の一実施形態に係るリターダの断面図である。
【図６Ｂ】本発明の一実施形態に係るリターダの断面図である。
【図７】本発明の一実施形態に係る光学軸の関係を示した平面図である。
【図８Ａ】本発明の一実施形態に係る表示パネルの断面図である。
【図８Ｂ】本発明の一実施形態に係る表示パネルの平面図である。
【図８Ｃ】本発明の一実施形態に係る表示パネルの拡大された断面図である。
【図９Ａ】本発明の一実施形態による表示装置の断面図である。
【図９Ｂ】本発明の一実施形態に係る入力感知層の平面図である。
【図９Ｃ】本発明の一実施形態に係る表示装置の断面図である。
【図９Ｄ】本発明の一実施形態に係る入力感知層の平面図である。
【発明を実施するための形態】
【００３３】
同一の図面符号は同一の構成要素を称する。また、図面において、構成要素の厚さ、比率、及び寸法は技術的内容の効果的な説明のために誇張されたものである。“及び／又は”は連関された構成が定義できる１つ以上の組合を全て含む。
【００３４】
第１、第２等の用語は多様な構成要素を説明するために使用されるが、前記構成要素は前記用語によって限定されてはならない。前記用語は１つの構成要素を他の構成要素から区別する目的のみに使用される。例えば、本発明の権利範囲を逸脱しなく、第１構成要素は第２構成要素と称され、類似に第２構成要素も第１構成要素と称されることができる。単数の表現は文脈の上に明確に異なりに表現しない限り、複数の表現を含む。
【００３５】
また、“下に”、“下側に”、“上に”、“上側に”等の用語は図面に図示された構成の相関関係を説明するために使用される。前記用語は相対的な概念として図面に表示された方向を基準に説明される。
【００３６】
“含む”又は“有する”等の用語は明細書上に記載された特徴、数字、段階、動作、構成要素、部品又はこれらを組合したことが存在することを表現しようするものであり、１つ又はその以上の他の特徴や数字、段階、動作、構成要素、部分品、又はこれらを組合したものの存在又は付加可能性を予め排除しないものとして理解されるべきである。
【００３７】
図１Ａ乃至図１Ｃは本発明の一実施形態に係る表示装置ＤＤの斜視図である。図１Ａに図示されたように、表示装置ＤＤは表示面ＤＤ−ＩＳを通じてイメージＩＭＧを表示する。表示面ＤＤ−ＩＳは第１方向軸ＤＲ１及び第２方向軸ＤＲ２が定義する面と平行である。表示面ＤＤ−ＩＳの法線方向、即ち表示装置ＤＤの厚さ方向は第３方向軸ＤＲ３が指示する。
【００３８】
以下で説明される各部材又はユニットの前面（又は上面）と背面（又は下面）は第３方向軸ＤＲ３によって区分される。しかし、本実施形態で図示された第１乃至第３方向軸ＤＲ１、ＤＲ２、ＤＲ３は例示に過ぎない。以下、第１乃至第３方向は第１乃至第３方向軸ＤＲ１、ＤＲ２、ＤＲ３の各々が指示する方向として定義され、同一な図面符号を参照する。
【００３９】
図１Ａに図示されたように、表示面ＤＤ−ＩＳはイメージＩＭが表示される表示領域ＤＤ−ＤＡ及び表示領域ＤＤ−ＤＡに隣接する非表示領域ＤＤ−ＮＤＡを含む。非表示領域ＤＤ−ＮＤＡはイメージが表示されない領域である。図１ＡにはイメージＩＭＧの一例としてアイコンイメージを図示した。
【００４０】
図１Ａに図示されたように、表示領域ＤＤ−ＤＡは方形状である。非表示領域ＤＤ−ＮＤＡは表示領域ＤＤ−ＤＡを囲む。但し、これに制限されず、表示領域ＤＤ−ＤＡの形状と非表示領域ＤＤ−ＮＤＡの形状とは相対的にデザインされてもよい。
【００４１】
図１Ａ乃至図１Ｃに図示されたように、表示装置ＤＤは動作形態に応じて定義される複数の領域を含むことができる。表示装置ＤＤは第１領域ＮＦＡ１、第２領域ＮＦＡ２、及び第１領域ＮＦＡ１と第２領域ＮＦＡ２との間に配置された第３領域ＦＡを含む。第３領域ＦＡは折り曲げ軸ＦＸに基づいて（ｏｎ  ｔｈｅ  ｂａｓｉｓ  ｏｆ  ｔｈｅ  ｆｏｌｄｉｎｇ  ａｘｉｓ）折り曲げられる領域に実質的に曲率を形成する領域である。以下、第１領域ＮＦＡ１、第２領域ＮＦＡ２、及び第３領域ＦＡは第１非折り曲げ領域ＮＦＡ１、第２非折り曲げ領域ＮＦＡ２、及び折り曲げ領域ＦＡと指称されることができる。
【００４２】
図１Ｂに図示されたように、表示装置ＤＤは第１非折り曲げ領域ＮＦＡ１の表示面ＤＤ−ＩＳと第２非折り曲げ領域ＮＦＡ２の表示面ＤＤ−ＩＳが対向するように内側に折り曲げる（ｉｎｎｅｒ−ｆｏｌｄｉｎｇ）ことができる。図１Ｃに図示されたように、表示モジュールＤＭは表示面ＤＤ−ＩＳが外部に露出されるように外側に折り曲げる（ｏｕｔｅｒ−ｆｏｌｄｉｎｇ）こともできる。
【００４３】
本発明の一実施形態で表示装置ＤＤは複数の折り曲げ領域ＦＡを含むことができる。それだけでなく、使用者が表示装置ＤＤを操作する形態に対応するように折り曲げ領域ＦＡが定義されることができる。例えば、折り曲げ領域ＦＡは図１Ｂとは異なり第１方向軸ＤＲ１に平行になるように定義されてもよく、対角線方向として定義されることもできる。折り曲げ領域ＦＡの面積は固定されず、曲率半径によって決定されることができる。本発明の一実施形態で表示装置ＤＤは図１Ａ及び図１Ｂに図示された動作モードのみが繰り返されるか、或いは図１Ａ及び図１Ｃに図示された動作モードのみが繰り返されるように構成されてもよい。
【００４４】
本実施形態で携帯電話機端末機に適用されることができる表示装置ＤＤを例示的に図示した。図示しないが、メインボードに実装された電子モジュール、カメラモジュール、電源モジュール等が表示装置ＤＤと共にブラケット／ケース等に配置されることによって携帯電話機端末機を構成することができる。本発明に係る表示装置ＤＤはテレビジョン、モニター等のような大型電子装置を始めとして、タブレット、自動車ナビゲーション、ゲーム機、スマートウォッチ等のような中小型電子装置等に適用されることができる。
【００４５】
図２Ａ及び図２Ｂは本発明の一実施形態に係る表示装置ＤＤの断面図である。図２Ａ及び図２Ｂは第２方向軸ＤＲ２と第３方向軸ＤＲ３が定義する断面を図示した。図２Ａ及び図２Ｂは表示装置ＤＤを構成する表示パネルと機能性ユニットとの積層関係を説明するために単純に図示された。
【００４６】
本発明の一実施形態に係る表示装置ＤＤは表示パネル、入力感知ユニット、反射防止ユニット、及びウインドウユニットを含むことができる。また、表示装置ＤＤは反射防止ユニットと区別されるリターダをさらに含む。前記追加されたリターダは反射防止ユニットとウインドウユニットとの間に配置され、反射防止ユニットとリターダとの間に接着部材が配置される。
【００４７】
表示パネル、入力感知ユニット、反射防止ユニット、及びウインドウユニットの中で少なくとも一部の構成は連続工程によって形成されるか、或いは少なくとも一部の構成は接着部材を通じて互いに結合されることができる。図２Ａには接着部材として光学透明接着部材ＯＣＡが例示的に図示された。以下で説明される接着部材は通常の接着剤又は粘着剤を含むことができ、シートタイプ、レジンタイプを全て含む。本発明の一実施形態で光学透明接着部材ＯＣＡは減圧接着部材ＰＳＡである。
【００４８】
図２Ａ及び図２Ｂにおいて、入力感知ユニット、反射防止ユニット、及びウインドウユニットの中で他の構成と連続工程を通じて形成された該当構成は“層”として表現される。入力感知ユニット、反射防止ユニット、及びウインドウユニットの中で他の構成と接着部材を通じて結合された構成は“パネル”として表現される。パネルはベース面を提供するベース層、例えば合成樹脂フィルム、複合材料フィルム、ガラス基板等を含むが、“層”は前記ベース層が省略されることができる。言い換えれば、“層”として表現される前記ユニットは他のユニットが提供するベース面上に配置される。
【００４９】
入力感知ユニット、反射防止ユニット、ウインドウユニットはベース層の有／無に応じて入力感知パネル、反射防止パネル、ウインドウパネル、又は入力感知層、反射防止層、ウインドウ層として指称されることができる。
【００５０】
図２Ａに図示されたように、表示装置ＤＤは表示パネルＤＰ、入力感知層ＩＳＬ、反射防止パネルＲＰＰ、リターダＲＴＤ−Ｕ（以下、上部リターダ）、及びウインドウパネルＷＰを含むことができる。入力感知層ＩＳＬは表示パネルＤＰ上に直接配置される。本明細書で、“Ｂの構成がＡの構成上に直接配置される”とはＡの構成とＢの構成との間に別の接着層／接着部材が配置されないことを意味する。言い換えれば、Ｂ構成はＡ構成が形成された後にＡ構成が提供するベース面上に連続工程を通じて形成される。
【００５１】
表示パネルＤＰ及び入力感知層ＩＳＬを含んで表示モジュールＤＭと定義されることができる。表示モジュールＤＭと反射防止パネルＲＰＰとの間、反射防止パネルＲＰＰと上部リターダＲＴＤ−Ｕとの間、上部リターダＲＴＤ−ＵとウインドウパネルＷＰとの間の各々に光学透明接着部材ＯＣＡが配置される。
【００５２】
表示パネルＤＰはイメージを生成し、入力感知層ＩＳＬは外部入力（例えば、タッチイベント）の座標情報を獲得する。入力感知層ＩＳＬは使用者のタッチを感知するタッチ感知センサーであるか、或いは使用者の指の指紋情報を感知する指紋感知センサーである。特に図示しないが、本発明の一実施形態に係る表示モジュールＤＭは表示パネルＤＰの下面に配置された保護部材をさらに含むことができる。保護部材と表示パネルＤＰは接着部材を通じて結合されることができる。以下で説明される図２Ｂの表示装置ＤＤもやはり保護部材をさらに含むことができる。
【００５３】
本発明の一実施形態に係る表示パネルＤＰは発光形表示パネルであるが、特に制限はない。例えば、表示パネルＤＰは有機発光表示パネル又は量子ドット発光表示パネル（ａ  ｑｕａｎｔｕｍ−ｄｏｔ  ｌｉｇｈｔ−ｅｍｉｔｔｉｎｇ  ｄｉｓｐｌａｙ  ｐａｎｅｌ）である。有機発光表示パネルの発光層は有機発光物質を含むことができる。量子ドット発光表示パネルの発光層は量子ドット及び量子ロード等を含むことができる。以下、表示パネルＤＰは有機発光表示パネルとして説明される。
【００５４】
反射防止パネルＲＰＰはウインドウパネルＷＰの上側から入射される外部光の反射率を減少させる。本発明の一実施形態に係る反射防止パネルＲＰＰは少なくとも１つのリターダ（ｒｅｔａｒｄｅｒ、以下、下部リターダ）及び偏光子（ｐｏｌａｒｉｚｅｒ）を含むことができる。
【００５５】
上部リターダＲＴＤ−Ｕ及び少なくとも１つの下部リターダはフィルムタイプ又は液晶コーティングタイプである。偏光子もやはりフィルムタイプ又は液晶コーティングタイプである。フィルムタイプは延伸型合成樹脂フィルムを含み、液晶コーティングタイプはベース層及びベース層の一面上に配向された液晶層を含む。リターダ及び偏光子は支持フィルム及び／又は保護フィルムをさらに含むことができる。
【００５６】
本発明の一実施形態に係るウインドウパネルＷＰはベース層ＷＰ−ＢＳ及びベゼルパターンＷＰ−ＢＺを含む。ベース層ＷＰ−ＢＳはガラス基板及び／又は合成樹脂フィルム等を含むことができる。ベース層ＷＰ−ＢＳは単層に制限されない。ベース層ＷＰ−ＢＳは接着部材に結合された２以上のフィルムを含むことができる。
【００５７】
ベース層ＷＰ−ＢＳは位相差を有しないか、或いは低位相差を有する。ガラス基板は実質的に位相差を有しない。ＰＥＴやＰＩのような合成フィルムは５００ｎｍ以下の低位相差を有する。結果的に、ベース層ＷＰ−ＢＳは５５０ｎｍ波長で０ｎｍ以上５００ｎｍ以下の位相差を有することが望ましい。
【００５８】
ベゼルパターンＷＰ−ＢＺはベース層ＷＰ−ＢＳに部分的に重畳する。ベゼルパターンＷＰ−ＢＺはベース層ＷＰ−ＢＳの背面に配置されて表示装置ＤＤのベゼル領域、即ち非表示領域ＤＤ−ＮＤＡ（図１Ａ参照）を定義することができる。
【００５９】
ベゼルパターンＷＰ−ＢＺは有色の有機膜であって、例えばコーティング方式に形成されることができる。ベゼルパターンＷＰ−ＢＺは多層の有機膜を含むことができる。一部の有機膜には所定のパターンが形成されることができる。特に図示しないが、ウインドウパネルＷＰはベース層ＷＰ−ＢＳの前面に配置された機能性コーティング層をさらに含むことができる。機能性コーティング層は指紋防止層、反射防止層等を含むことができる。
【００６０】
図２Ｂに図示されたように、表示装置ＤＤは表示パネルＤＰ、入力感知層ＩＳＬ、反射防止層ＲＰＬ、上部リターダＲＴＤ−Ｕ、及びウインドウパネルＷＰを含むことができる。ここで、反射防止層ＲＰＬは液晶コーティングタイプに、入力感知層ＩＳＬの上面に直接配向された液晶層を含むことができる。反射防止層ＲＰＬは多層の液晶層を含むことができる。
【００６１】
特に図示しないが、本発明の一実施形態で、ウインドウパネルＷＰは上部リターダＲＴＤ−Ｕにコーティングされたウインドウ層に変形されることができる。
【００６２】
図３Ａ及び図３Ｂは本発明の一実施形態に係る反射防止ユニットＲＰＰの断面図である。図３Ａ及び図３Ｂはパネルタイプの反射防止ユニットＲＰＰを図示した。
【００６３】
図３Ａに図示されたように、反射防止パネルＲＰＰは延伸型偏光子を含むことができる。延伸型偏光子はヨウ化物又は２色性染料を含有するＰＶＡフィルム１００（Ｐｏｌｙ  Ｖｉｎｙｌ  Ａｌｃｏｈｏｌ  ｆｉｌｍ）を含むことができる。反射防止パネルＲＰＰは保護フィルム２００を含むことができる。保護フィルム２００はＴＡＣフィルム（Ｔｒｉ−Ａｃｅｔｙｌ  Ｃｅｌｌｕｌｏｓｅ  ｆｉｌｍ）である。保護フィルム２００がＰＶＡフィルム１００の一面のみに配置された反射防止パネルＲＰＰを例示的に図示したが、これに制限されない。一方、液晶コーティング型偏光子は２色性物質と液晶性化合物を含有する液晶性組成物を一定方向に配向させたＯ型偏光層及びリオトロピック（ｌｙｏｔｒｏｐｉｃ）液晶を一定方向に配向させたＥ型偏光層を含むことができる。保護フィルム２００に偏光層を配向することができる。この時、保護フィルム２００がベース層に該当する。
【００６４】
反射防止パネルＲＰＰは下部リターダＲＴＤ−Ｌとしてλ／２リターダ（１／２波長板）とλ／４リターダ（１／４波長板）とを含むことができる。ＰＶＡフィルム１００は接着部材ＯＣＡを通じてλ／２リターダと結合されることができる。λ／２リターダの下側にλ／４リターダが配置される。ベース層に配向膜を形成した後、配向膜上にλ／２リターダを具現する液晶層を形成する。液晶層を硬化させた後、ベース層を除去し、配向膜と液晶層を接着部材ＯＣＡに結合することができる。
【００６５】
ベース層に配向膜を形成した後、配向膜上にλ／４リターダを具現する液晶層を形成する。液晶層を硬化させた後、ベース層を除去し、配向膜と液晶層をλ／２リターダに結合することができる。λ／２リターダとλ／４リターダとの間に図示しない接着層がさらに配置されることができる。
【００６６】
λ／２リターダとλ／４リターダの液晶層は反応性液晶単量体（例えば、ネマティック（ｎｅｍａｔｉｃ）液晶相を発現するカラミチック（ｃａｌａｍｉｔｉｃ）メソゲン）を含むことができ、配向膜はポリイミド（ｐｏｌｙｉｍｉｄｅ）やポリアミド（ｐｏｌｙａｍｉｄｅ）を含むことができる。一実施形態で、λ／２リターダとλ／４リターダの液晶層は屈折率異方性を有する光反応性ポリマーを含むことができる。この時、配向膜を省略することができる。
【００６７】
液晶コーティングタイプのλ／２リターダとλ／４リターダを図示したが、フィルムタイプのλ／２リターダとλ／４リターダとの間には接着部材がさらに配置されることができる。本実施形態でλ／２リターダとλ／４リターダは波長が増加されるほど、位相差が減少される正分散型リターダ（ｐｏｓｉｔｉｖｅ  ｄｉｓｐｅｒｓｉｏｎ  ｔｙｐｅ  ｒｅｔａｒｄｅｒ）である。
【００６８】
図３Ｂに図示されたように、反射防止パネルＲＰＰは下部リターダＲＴＤ−Ｌとして正分散型λ／２リターダ及びλ／４リターダを代替する負分散型（ｎｅｇａｔｉｖｅ  ｄｉｓｐｅｒｓｉｏｎ  ｔｙｐｅ）λ／４リターダを含むこともできる。負分散型λ／４リターダもやはりフィルムタイプ又は液晶コーティングタイプである。
【００６９】
図４Ａは本発明の一実施形態に係る表示装置ＤＤの光学軸の関係を示した平面図である。図４Ｂ及び図４Ｃは本発明の一実施形態に係る表示装置ＤＤの光の偏光状態を示した図面である。図４Ｄはサングラス着用の時、ブラックアウト不良（ｂｌａｃｋｏｕｔ  ｄｅｆｅｃｔ）を示した写真である。図４Ｅはレインボームラ不良（ｒａｉｎｂｏｗ  ｍｕｒａ  ｄｅｆｅｃｔ）を示した写真である。図４Ｆは折り曲げ部の変色不良（ｆｏｌｄｉｎｇ  ｐａｒｔ  ｄｉｓｃｏｌｏｒａｔｉｏｎ  ｄｅｆｅｃｔ）を示した写真である。
【００７０】
図４Ａは図３Ａに図示された反射防止パネルＲＰＰを含む表示装置ＤＤの光学軸を図示した。本実施形態で折り曲げ軸ＦＸは表示装置ＤＤの短軸である第２方向軸ＤＲ２に平行になることと図示した。基準軸ＲＸは折り曲げ軸ＦＸと垂直であり、基準軸ＲＸと折り曲げ軸ＦＸとは象限（ｑｕａｄｒａｎｔ）を定義することができる。本実施形態で、偏光子の偏光軸ＴＸは折り曲げ軸ＦＸに平行することができる。偏光軸ＴＸは透過軸や吸収軸であり、以下、透過軸として説明される。
【００７１】
図４Ｂに図示されたように、偏光されない外部光が表示装置ＤＤに入射される。外部光はウインドウパネルＷＰ及び上部リターダＲＴＤ−Ｕを通過する。本実施形態で上部リターダＲＴＤ−Ｕはλ／４リターダである。λ／４リターダは負分散型又は正分散型リターダである。
【００７２】
外部光は偏光子ＰＯＬを通過しながら、線偏光される。線偏光は下部リターダＲＴＤ−Ｌを通過しながら、左円偏光（ｌｅｆｔ  ｃｉｒｃｕｌａｒ  ｐｏｌａｒｉｚａｔｉｏｎ）される。下部リターダＲＴＤ−Ｌは第１下部リターダＲＴＤ−Ｌ１及び第２下部リターダＲＴＤ−Ｌ２を含むことができる。第１下部リターダＲＴＤ−Ｌ１及び第２下部リターダＲＴＤ−Ｌ２の各々は正分散型λ／４リターダ及び正分散型λ／２リターダである。
【００７３】
左円偏光は表示モジュールＤＭで反射された後、右円偏光される。本実施形態で左円偏光と右円偏光と説明しているが、左円偏光が円偏光（ｃｉｒｃｕｌａｒ  ｐｏｌａｒｉｚａｔｉｏｎ）である時、右円偏光は逆円偏光（ｒｅｖｅｒｓｅ  ｃｉｒｃｕｌａｒ  ｐｏｌａｒｉｚａｔｉｏｎ）である。
【００７４】
右円偏光は下部リターダＲＴＤ−Ｌを通過しながら、線偏光される。このとき、線偏光は偏光子ＰＯＬの透過軸と直交する線偏光である。このような方式に外部光が反射されることを抑制することができる。
【００７５】
図４Ｃに図示されたように、発光形表示モジュールＤＭで生成された光（又はイメージＩＭＧ（図１Ａ参照））は偏光されない状態である。発光形表示モジュールＤＭで生成された光は下部リターダＲＴＤ−Ｌを通過する。発光形表示モジュールＤＭで生成された光は偏光子ＰＯＬを通過しながら、線偏光される。線偏光は上部リターダＲＴＤ−Ｕを通過しながら、左円偏光されることができる。左円偏光はウインドウパネルＷＰを通過して使用者に提供される。
【００７６】
本実施形態で表示装置ＤＤが上部リターダＲＴＤ−Ｕを含むことによって外部光反射率が低くなるだけでなく、使用者がサングラスを着用してもイメージを獲得することができる。
【００７７】
上部リターダＲＴＤ−Ｕがなかったら、使用者は図４Ｄに図示されたように表示装置ＤＤの水平状態又は垂直状態の中でいずれか１つの状態でイメージを獲得することができない。線偏光されたイメージは前記いずれか１つの状態でサングラスを透過することができないためである（線偏光されたイメージの偏光軸とサングラスの偏光軸が垂直である状態発生）。本実施形態によれば、円偏光されたイメージがサングラスに到達するので、使用者は水平状態及び垂直状態の全てでイメージを獲得することができる。
【００７８】
図４Ｃにおいて、ウインドウパネルＷＰが低位相差を有する場合、図４Ｅに示すようなレインボームラ現象が発生することがある。ウインドウパネルＷＰが左円偏光を変形させたためである。ウインドウパネルＷＰが有する位相差によって左円偏光が楕円形左円偏光（ｌｅｆｔ  ｈａｎｄｅｄ  ｅｌｌｉｐｔｉｃａｌｌｙ  ｐｏｌａｒｉｚｅｄ  ｌｉｇｈｔ）に変形される。
【００７９】
本実施形態で、上部リターダＲＴＤ−Ｕは高位相差フィルムを含むことができる。高位相差フィルムの上部リターダＲＴＤ−Ｕは図４Ｅに図示されたレインボームラ現象を防止することができる。楕円形左円偏光がサングラスの偏光板を通過すれば、再び線偏光されるが、この時、波長に応じる透過率差によってレインボームラ現象が発生することがある。しかし、高位相差フィルムは可視光線の全波長帯で透過率を向上させるので、レインボームラ現象を防止することができる。
【００８０】
高位相差フィルムは５５０ｎｍ波長で５０００ｎｍ以上の位相差を有する。通常的に高位相差フィルムは５５０ｎｍ波長で５０００ｎｍ以上１１０００ｎｍ以下の位相差を有する。
【００８１】
上部リターダＲＴＤ−Ｕに高位相差フィルムが適用されれば、図４Ｃを参照して説明したことと異なり、上部リターダＲＴＤ−Ｕを通過しても線偏光が左円偏光の形態に変化されないが、高位相差フィルムを通過しながら、線偏光特性が実質的に消滅して使用者がサングラスを着用してもイメージを獲得することができる。
【００８２】
図４Ｆは折り曲げ領域ＦＡで発生する変色現象（ｄｉｓｃｏｌｏｒａｔｉｏｎ  ｐｈｅｎｏｍｅｎｏｎ）を示す。このような変色現象は表示装置ＤＤが繰り返して折り曲げられることにおいて正分散型λ／４リターダＲＴＤ−Ｌ１の遅い軸ＱＸ−Ｌ（図４Ａ参照）と正分散型λ／２リターダＲＴＤ−Ｌ２（図４Ａ参照）の遅い軸ＨＸとの間の角度が変更されたためである。引張力によって遅い軸ＱＸ−Ｌと遅い軸ＨＸとの間の角度が増加するか、或いは圧縮力によって遅い軸ＱＸ−Ｌと遅い軸ＨＸとの間の角度が減少するためである。これは正分散型λ／４リターダＲＴＤ−Ｌ１の遅い軸ＱＸ−Ｌと正分散型λ／２リターダＲＴＤ−Ｌ２の遅い軸ＨＸが互いに異なる象限上に定義されることを前提とする。
【００８３】
図４Ａに図示されたように、正分散型λ／４リターダＲＴＤ−Ｌ１の遅い軸ＱＸ−Ｌと正分散型λ／２リターダＲＴＤ−Ｌ２の遅い軸ＨＸは基準軸ＲＸと折り曲げ軸ＦＸが定義する象限で同一な象限に定義されることができる。図４Ａに図示されたように、正分散型λ／４リターダＲＴＤ−Ｌ１の遅い軸ＱＸ−Ｌと正分散型λ／２リターダＲＴＤ−Ｌ２の遅い軸ＨＸは同一な象限に定義されることができる。このように定義される場合、表示装置ＤＤが繰り返して折り曲げられても、正分散型λ／４リターダＲＴＤ−Ｌ１の遅い軸ＱＸ−Ｌと正分散型λ／２リターダＲＴＤ−Ｌ２の遅い軸ＨＸのとの間の角度が実質的に変化されない。
【００８４】
偏光子ＰＯＬの偏光軸ＴＸとλ／４リターダＲＴＤ−Ｌ１の遅い軸ＱＸ−Ｌのとの間の角度θ１は７．５°以上１７．５°以下を有することができる。λ／４リターダＲＴＤ−Ｌ１の遅い軸ＱＸ−Ｌと正分散型λ／２リターダＲＴＤ−Ｌ２の遅い軸ＨＸとの間の角度θ２は７．５°以上１７．５°以下を有することができる。
【００８５】
このとき、上部リターダの遅い軸ＱＸ−Ｕは偏光子ＰＯＬの偏光軸ＴＸと所定の間角度を有することができる。上部リターダの遅い軸ＱＸ−Ｕと偏光子ＰＯＬの偏光軸ＴＸとの間の角度θ３は１０°以上７５°以下を有することができる。
【００８６】
特に図示しないが、下部リターダＲＴＤ−Ｌが図３Ｂに図示された負分散型λ／４リターダを含む場合も、図４Ａ乃至図４Ｆを参照して説明したことと同一な効果を得ることができる。下部リターダＲＴＤ−Ｌの遅い軸は偏光子ＰＯＬの偏光軸ＴＸと４５°のとの間の角度をなす。
【００８７】
図５は本発明の一実施形態に係る表示装置ＤＤの断面図である。図６Ａ及び図６Ｂは本発明の一実施形態に係る上部リターダＲＴＤ−Ｕの断面図である。
【００８８】
図５は図１Ａ乃至図２Ｂに図示されたフォルダブル表示装置ＤＤの断面を簡略に図示した。フォルダブル表示装置ＤＤは繰り返して折り曲げ動作が実施されるにつれて不良が発生することがあるが、本実施形態で耐衝撃性を向上させ、屈曲性を向上させるために後述する条件を満足する。
【００８９】
表示モジュールＤＭの上面又は表示モジュールＤＭに接触する接着部材ＯＣＡの下面からウインドウユニットの、本実施形態でウインドウパネルＷＰの上面までの厚さは１３０μｍ以上５４０μｍ以下であることが望ましい。図２Ａに図示された表示装置ＤＤにおいて、入力感知層ＩＳＬの上面からウインドウユニットＷＭの上面までの厚さは１３０μｍ以上５４０μｍ以下である。図２Ｂに図示された表示装置ＤＤにおいて、反射防止層ＲＰＬの上面からウインドウユニットＷＭの上面までの厚さは１３０μｍ以上５４０μｍ以下である。ウインドウパネルＷＰが機能性コーティング層を含む場合、ウインドウパネルＷＰの上面は機能性コーティング層の上面に該当する。このとき、ウインドウパネルＷＰの厚さは３０μｍ以上１３０μｍ以下であることが望ましい。ウインドウパネルＷＰの厚さが１３０μｍを超えると、屈曲性評価のとき、クラックが発生し、３０μｍを下回ると、耐衝撃性評価の時、へこみ不良（ｄｅｎｔ  ｄｅｆｅｃｔ）が発生した。耐衝撃性評価は金属球落下評価（ｍｅｔａｌ  ｂａｌｌ  ｄｒｏｐ  ｅｖａｌｕａｔｉｏｎ）によって行われた。
【００９０】
屈曲性評価は図５に図示された構造の表示装置ＤＤにおいて、［表１］のような条件で実施された。
【００９１】
【表１】
2020034916.tif 000003
【００９２】
接着部材ＯＣＡの各々の厚さは５μｍ以上１００μｍ以下であることが望ましい。接着部材ＯＣＡの厚さが１００μｍを超えれば、屈曲性評価のとき、剥離（ｄｅｔａｃｈｍｅｎｔ）が発生し、５μｍを下回ると、耐衝撃性評価のとき、へこみ不良が発生した。
【００９３】
屈曲性評価は図５に図示された構造の表示装置ＤＤにおいて、５０μｍの上部リターダＲＴＤ−Ｕ、６０μｍのウインドウパネルＷＰ、３０μｍの反射防止パネルＲＰＰの条件で実施された。接着部材ＯＣＡは減圧接着部材が適用された。３つの減圧接着部材ＰＳＡ１、ＰＳＡ２、ＰＳＡ３の中で表示モジュールＤＭに接触する減圧接着部材が第１減圧接着部材ＰＳＡ１である。その結果は下の表２乃至表４の通りである。
【００９４】
【表２】
2020034916.tif 000004
【００９５】
【表３】
2020034916.tif 000005
【００９６】
【表４】
2020034916.tif 000006
【００９７】
上部リターダＲＴＤ−Ｕの厚さは１μｍ乃至８０μｍであることが望ましい。上部リターダＲＴＤ−Ｕの厚さが８０μｍを超えると、屈曲性評価の時、剥離が発生した。上部リターダＲＴＤ−Ｕを液晶コーティング方式に製造しても、１μｍより薄くするのは実質的に製造が難い状況である。
【００９８】
屈曲性評価は図５に図示された構造の表示装置ＤＤにおいて、［表５］と同一の条件で実施された。
【００９９】
【表５】
2020034916.tif 000007
【０１００】
反射防止ユニットの、本実施形態で反射防止パネルＲＰＰの、厚さは１μｍ以上５０μｍ以下であることが望ましい。反射防止パネルＲＰＰの厚さが５０μｍを超えると、屈曲性評価のとき、剥離が発生した。反射防止ユニットを液晶コーティング方式に製造することとしても１μｍより薄くするのは実質的に製造が難しい状況である。
【０１０１】
図６Ａ及び図６Ｂは本発明の一実施形態に係る上部リターダＲＴＤ−Ｕの断面図である。図６Ａはフィルムタイプの延伸型λ／４リターダＲＴＤ−Ｕを図示し、図６Ｂは液晶コーティングタイプのλ／４リターダＲＴＤ−Ｕを図示した。液晶コーティングタイプのλ／４リターダＲＴＤ−ＵはベースフィルムＢＦと液晶位相差層ＬＬを含む。
【０１０２】
上部リターダＲＴＤ−Ｕの屈曲信頼性を向上させるために上部リターダＲＴＤ−Ｕは４Ｇｐａ以上１００ＧＰａ以下のヤング率（Ｙｏｕｎｇ’ｓ  ｍｏｄｕｌｕｓ）を有する。さらに望ましくは４Ｇｐａ以上１５ＧＰａ以下のヤング率を有する。ヤング率は２５℃で測定された値である。液晶コーティングタイプのリターダＲＴＤ−ＵはベースフィルムＢＦが上述した範囲のヤング率を有する。特に図示しないが、高位相差フィルムからなされた上部リターダＲＴＤ−Ｕもやはり屈曲信頼性を向上させるために上述した範囲のヤング率を有する。
【０１０３】
屈曲性評価は図５に図示された構造の表示装置ＤＤにおいて、５０μｍのウインドウパネルＷＰ、５０μｍの上部リターダＲＴＤ−Ｕ、３１μｍの反射防止パネルＲＰＰ、及び接着部材ＯＣＡとして５０μｍの減圧接着部材ＰＳＡの条件で実施された。その結果は［表６］の通りである。
【０１０４】
【表６】
2020034916.tif 000008
【０１０５】
環境条件１は折り曲げ状態の表示装置を６０℃の温度、９３％の湿度の環境に２４０時間露出させることを意味する。環境条件２は折り曲げ状態の表示装置を６０℃の環境と−１０℃の環境に交互に露出させることを意味する。環境条件３は折り曲げ状態の表示装置を７０℃の環境に７２時間露出させることを意味する。
【０１０６】
３．７Ｇｐａのヤング率を有する上部リターダは環境条件３で２つのサンプルの中で１つに不良が発生した。
【０１０７】
図７は本発明の一実施形態に係る表示装置ＤＤの光学軸の関係を示した平面図である。以下、図１乃至図６を参照して説明した構成と同一な構成に対する詳細な説明は省略する。
【０１０８】
本実施形態によれば、偏光子の偏光軸ＴＸが折り曲げ軸ＦＸとの間の角度をなす。例えば、間の角度は約４５°である。本実施形態よれば、使用者がサングラスを着用しても、図４Ｄに図示されたようにブラックアウト現象は発生しない。垂直状態又は水平状態で折り曲げ軸ＦＸとサングラスの透過軸が垂直ではないためである。
【０１０９】
本実施形態で下部リターダＲＴＤ−Ｌとして負分散型λ／４リターダを含むことができる。負分散型λ／４リターダの遅い軸ＱＸ−Ｌは偏光子の偏光軸ＴＸと約４５°の間の角度をなす。下部リターダＲＴＤ−Ｌが１つのリターダを含んで折り曲げ領域の変色現象が防止されることができる。
【０１１０】
本実施形態でウインドウユニットが低位相差を有する場合、上部リターダＲＴＤ−Ｕは高位相差フィルムを含むことができる。したがって、レインボームラが防止されることができる。本実施形態で“約４５°”は４５°を目的とした製造した工程上の誤差を含む。
【０１１１】
図８Ａは本発明の一実施形態に係る表示パネルＤＰの断面図である。図８Ｂは本発明の一実施形態に係る表示パネルＤＰの平面図である。図８Ｃは本発明の一実施形態に係る表示パネルＤＰの拡大された断面図である。
【０１１２】
図８Ａに図示されたように、表示パネルＤＰはベース層ＢＬ、ベース層ＢＬ上に配置された回路素子層ＤＰ−ＣＬ、回路素子層ＤＰ−ＣＬ上に配置された表示素子層ＤＰ−ＯＬＥＤ、及び表示素子層ＤＰ−ＯＬＥＤ上に配置された絶縁層ＴＦＬ（以下、上部絶縁層として定義される）を含む。
【０１１３】
ベース層ＢＬは合成樹脂フィルムを含む。表示パネルＤＰを製造する時に利用される作業基板上に合成樹脂層を形成する。以後、合成樹脂層上に導電層及び絶縁層等を形成する。作業基板が除去されれば、合成樹脂層はベース層ＢＬに対応する。合成樹脂層はポリイミド系樹脂層であり、その材料は特に制限されない。その他にベース層ＢＬはガラス基板、金属基板、又は有機／無機複合材料基板等を含むことができる。
【０１１４】
回路素子層ＤＰ−ＣＬは少なくとも１つの絶縁層と回路素子とを含む。以下、回路素子層ＤＰ−ＣＬに含まれた絶縁層は中間絶縁層であると称される。中間絶縁層は少なくとも１つの中間無機膜及び／又は少なくとも１つの中間有機膜を含む。回路素子は信号ライン、画素の駆動回路等を含む。コーティング、蒸着等による絶縁層、半導体層、及び導電層の形成工程とフォトリソグラフィー工程による絶縁層、半導体層、及び導電層のパターニング工程を通じて回路素子層ＤＰ−ＣＬが形成されることができる。
【０１１５】
表示素子層ＤＰ−ＯＬＥＤは発光素子を含む。表示素子層ＤＰ−ＯＬＥＤは発光素子として有機発光ダイオードを含む。表示素子層ＤＰ−ＯＬＥＤは画素定義膜を、例えば有機物質を含む。
【０１１６】
上部絶縁層ＴＦＬは後述するように回路素子層ＤＰ−ＣＬを密封する薄膜封止層を含むことができる。上部絶縁層ＴＦＬはキャッピング層、反射防止層、屈折率調節層等のような機能性層をさらに含むことができる。
【０１１７】
図８Ｂに図示されたように、表示パネルＤＰは平面上で表示領域ＤＰ−ＤＡと非表示領域ＤＰ−ＮＤＡを含む。本実施形態で非表示領域ＤＰ−ＮＤＡは表示領域ＤＰ−ＤＡの枠に沿って定義される。表示パネルＤＰの表示領域ＤＰ−ＤＡ及び非表示領域ＤＰ−ＮＤＡは図１Ａ乃至図２Ｂに図示された表示装置ＤＤの表示領域ＤＤ−ＤＡ及び非表示領域ＤＤ−ＮＤＡに各々対応する。
【０１１８】
表示パネルＤＰは駆動回路ＧＤＣ、複数の信号ラインＳＧＬ（以下、信号ライン）、及び複数の画素ＰＸ（以下、画素）を含むことができる。画素ＰＸは表示領域ＤＰ−ＤＡに配置される。画素ＰＸの各々は発光素子とそれに接続された画素駆動回路を含む。駆動回路ＧＤＣ、信号ラインＳＧＬ、及び画素駆動回路は図３Ａに図示された回路素子層ＤＰ−ＣＬに含まれることができる。
【０１１９】
駆動回路ＧＤＣは走査駆動回路を含むことができる。走査駆動回路は複数の走査信号（以下、走査信号）を生成し、走査信号を後述する複数の走査配線（以下、走査配線）に順次的に出力する。走査駆動回路は画素ＰＸの駆動回路にその他の制御信号をさらに出力することができる。
【０１２０】
走査駆動回路は画素ＰＸの駆動回路と同一な工程、例えばＬＴＰＳ（Ｌｏｗ  Ｔｅｍｐｅｒａｔｕｒｅ  Ｐｏｌｙｃｒｙｓｔａｌｌｉｎｅ  Ｓｉｌｉｃｏｎ）工程又はＬＴＰＯ（Ｌｏｗ  Ｔｅｍｐｅｒａｔｕｒｅ  Ｐｏｌｙｃｒｙｓｔａｌｌｉｎｅ  Ｏｘｉｄｅ）工程を通じて形成された複数の薄膜トランジスタを含む。
【０１２１】
信号ラインＳＧＬは走査ラインＧＬ、データラインＤＬ、電源ラインＰＬ、及び制御信号ラインＣＳＬを含む。走査ラインＧＬは画素ＰＸの中で対応する画素ＰＸに各々接続され、データラインＤＬは画素ＰＸの中で対応する画素ＰＸに各々接続される。電源ラインＰＬは画素ＰＸに接続される。制御信号ラインＣＳＬは走査駆動回路に制御信号を提供する。
【０１２２】
信号ラインＳＧＬは図示されない回路基板と接続されることができる。回路基板に実装された集積チップ形態のタイミング制御回路と接続されることができる。本発明の一実施形態で、このような集積チップは非表示領域ＤＰ−ＮＤＡに配置されて信号ラインＳＧＬと接続されてもよい。
【０１２３】
図８Ｃに図示されたように、回路素子層ＤＰ−ＣＬは無機膜であるバッファ膜ＢＦＬ、第１中間無機膜１０、及び第２中間無機膜２０を含み、有機膜である中間有機膜３０を含む。図８ＣにはスイッチングトランジスタＴ１及び駆動トランジスタＴ２を構成する第１半導体パターンＯＳＰ１、第２半導体パターンＯＳＰ２、第１制御電極ＧＥ１、第２制御電極ＧＥ２、第１入力電極ＤＥ１、第１出力電極ＳＥ１、第２入力電極ＤＥ２、第２出力電極ＳＥ２の配置関係が例示的に図示されている。第１乃至第４貫通ホールＣＨ１乃至ＣＨ４もやはり例示的に図示された。
【０１２４】
表示素子層ＤＰ−ＯＬＥＤは発光素子を含む。表示素子層ＤＰ−ＯＬＥＤは発光素子として有機発光ダイオードＯＬＥＤを含むことができる。表示素子層ＤＰ−ＯＬＥＤは画素定義膜を含む。例えば、画素定義膜は有機層である。
【０１２５】
中間有機膜３０上に第１電極ＡＥが配置される。第１電極ＡＥは中間有機膜３０を貫通する第５貫通ホールＣＨ５を通じて第２出力電極ＳＥ２に接続される。画素定義膜ＰＤＬには開口部ＯＰが形成される。画素定義膜ＰＤＬの開口部ＯＰは第１電極ＡＥの少なくとも一部分を露出させる。画素定義膜ＰＤＬの開口部ＯＰは他の開口部と区分するために発光開口部と称される。
【０１２６】
表示パネルＤＰは発光領域ＰＸＡと発光領域ＰＸＡに隣接する非発光領域ＮＰＸＡとを含む。非発光領域ＮＰＸＡは発光領域ＰＸＡを囲む。本実施形態で発光領域ＰＸＡは発光開口部ＯＰによって露出された第１電極ＡＥの一部領域に対応するように定義される。
【０１２７】
正孔制御層ＨＣＬは発光領域ＰＸＡと非発光領域ＮＰＸＡとに共通に配置される。正孔制御層ＨＣＬは正孔輸送層を含み、正孔注入層をさらに含む。正孔制御層ＨＣＬ上に発光層ＥＭＬが配置される。発光層ＥＭＬは発光開口部ＯＰに対応する領域に配置される。即ち、発光層ＥＭＬは画素の各々に分離されて形成される。発光層ＥＭＬは有機物質及び／又は無機物質を含む。発光層ＥＭＬは所定の有色カラー光を生成することができる。
【０１２８】
発光層ＥＭＬ上に電子制御層ＥＣＬが配置される。電子制御層ＥＣＬは電子輸送層を含み、電子注入層をさらに含む。正孔制御層ＨＣＬと電子制御層ＥＣＬはオープンマスクを利用して複数の画素に共通に形成されることができる。電子制御層ＥＣＬ上に第２電極ＣＥが配置される。第２電極ＣＥは複数の画素に共通的に配置される。
【０１２９】
第２電極ＣＥ上に上部絶縁層ＴＦＬが配置される。上部絶縁層ＴＦＬは複数の薄膜（以下、第１薄膜）を含むことができる。本実施形態のように複数の薄膜を機能的に区分される薄膜封止層ＴＦＥとキャッピング層ＣＰＬを含むことができる。薄膜封止層ＴＦＥは無機層／有機層／無機層を含むことができる。第２電極ＣＥと薄膜封止層ＴＦＥとの間には屈折率調節層がさらに配置されることができ、屈折率調節層は有機発光ダイオードＯＬＥＤの有機物質と同一な物質を含むことができる。
【０１３０】
図９Ａは本発明の一実施形態に係る表示装置ＤＤの断面図である。図９Ｂは本発明の一実施形態に係る入力感知層ＩＳＬの平面図である。図９Ｃは本発明の一実施形態に係る表示装置ＤＤの断面図である。図９Ｄは本発明の一実施形態に係る入力感知層ＩＳＬの平面図である。
【０１３１】
図９Ａは入力感知層ＩＳＬの積層関係を説明するために表示パネルＤＰ及び反射防止層ＲＰＬが簡略化されて図示されている。入力感知層ＩＳＬは少なくとも感知電極を含む。入力感知層ＩＳＬは感知電極に接続された信号ライン及び少なくとも１つの絶縁層（又は第２薄膜）をさらに含むことができる。入力感知層ＩＳＬは、例えば静電容量方式に外部入力を感知することができる。本発明で入力感知層ＩＳＬの動作方式は特に制限されず、本発明の一実施形態で入力感知層ＩＳＬは電磁気誘導方式又は圧力感知方式に外部入力を感知することもできる。
【０１３２】
図９Ａに図示されたように、本発明の一実施形態に係る入力感知層ＩＳＬは第１導電層ＩＳ−ＣＬ１、第１絶縁層ＩＳ−ＩＬ１、第２導電層ＩＳ−ＣＬ２、及び第２絶縁層ＩＳ−ＩＬ２を含む。第１導電層ＩＳ−ＣＬ１及び第２導電層ＩＳ−ＣＬ２の各々は単層構造を有するか、或いは第３方向軸ＤＲ３に沿って積層される層構造を有することができる。単層構造の導電層は金属層又は透明導電層を含むことができる。金属層はモリブデン、銀、チタニウム、銅、アルミニウム、及びこれらの合金を含むことができる。透明導電層はＩＴＯ（ｉｎｄｉｕｍ  ｔｉｎ  ｏｘｉｄｅ）、ＩＺＯ（ｉｎｄｉｕｍ  ｚｉｎｃ  ｏｘｉｄｅ）、ＺｎＯ（ｚｉｎｃ  ｏｘｉｄｅ）、ＩＴＺＯ（ｉｎｄｉｕｍ  ｔｉｎ  ｚｉｎｃ  ｏｘｉｄｅ）等のような透明な伝導性酸化物を含むことができる。その他に透明導電層はＰＥＤＯＴのような伝導性高分子、金属ナノワイヤ、グラフェン等を含むことができる。
【０１３３】
多層構造の導電層は多層の金属層を含むことができる。多層の金属層は、例えばチタニウム／アルミニウム／チタンの３層構造を有することができる。多層構造の導電層は少なくとも１つの金属層及び少なくとも１つの透明導電層を含むことができる。
【０１３４】
第１導電層ＩＳ−ＣＬ１及び第２導電層ＩＳ−ＣＬ２の各々は複数のパターンを含む。以下、第１導電層ＩＳ−ＣＬ１は第１導電パターンを含み、第２導電層ＩＳ−ＣＬ２は第２導電パターンを含むことと説明される。第１導電パターンと第２導電パターンとの各々は感知電極及び信号ラインを含む。
【０１３５】
金属層を含む感知電極は使用者に視認されることを防止するために後述するように、メッシュ形状を有することができる。一方、上部絶縁層ＴＦＬの厚さは表示素子層ＤＰ−ＯＬＥＤの構成によって発生したノイズが入力感知層ＩＳＬに影響を及ばないように調節されることができる。第１絶縁層ＩＳ−ＩＬ１及び第２絶縁層ＩＳ−ＩＬ２の各々は単層又は多層構造を有することができる。第１絶縁層ＩＳ−ＩＬ１及び第２絶縁層ＩＳ−ＩＬ２の各々は無機物又は有機物又は複合材料を含むことができる。
【０１３６】
第１絶縁層ＩＳ−ＩＬ１及び第２絶縁層ＩＳ−ＩＬ２の中で少なくともいずれか１つは無機膜を含むことができる。無機層はアルミニウムオキサイド、チタニウムオキサイド、シリコンオキサイド、シリコンオキシナイトライド、ジルコニウムオキサイド、及びハフニウム酸化物の中で少なくとも１つを含むことができる。
【０１３７】
第１絶縁層ＩＳ−ＩＬ１及び第２絶縁層ＩＳ−ＩＬ２の中で少なくともいずれか１つは有機膜を含む。有機膜はアクリル系樹脂、メタクリル系樹脂、ポリイソプレン、ビニール系樹脂、エポキシ系樹脂、ウレタン系樹脂、セルロース系樹脂、シロキサン系樹脂、ポリイミド系樹脂、ポリアミド系樹脂、及びペリレン系樹脂の中で少なくともいずれか１つを含む。
【０１３８】
図９Ｂに図示されたように、入力感知層ＩＳＬは第１感知電極ＩＥ１−１乃至ＩＥ１−５、第１感知電極ＩＥ１−１乃至ＩＥ１−５に接続された第１信号ラインＳＬ１−１乃至ＳＬ１−５、第２感知電極ＩＥ２−１乃至ＩＥ２−４、及び第２感知電極ＩＥ２−１乃至ＩＥ２−４に接続された第２信号ラインＳＬ２−１乃至ＳＬ２−４を含む。図示しないが、入力感知層ＩＳＬは第１感知電極ＩＥ１−１乃至ＩＥ１−５と第２感知電極ＩＥ２−１乃至ＩＥ２−４との間の境界領域に配置された光学的ダミー電極をさらに含むことができる。
【０１３９】
第１感知電極ＩＥ１−１乃至ＩＥ１−５と第２感知電極ＩＥ２−１乃至ＩＥ２−４は互いに交差する。第１感知電極ＩＥ１−１乃至ＩＥ１−５は第１方向ＤＲ１に配列され、各々が第２方向ＤＲ２に延長された形状である。ミューチュアルキャップ方式及び／又はセルフキャップ方式に外部入力を感知することができる。第１区間の間にミューチュアルキャップ方式外部入力の座標を算出した後、第２区間の間にセルフキャップ方式に外部入力の座標を再算出することもできる。
【０１４０】
第１感知電極ＩＥ１−１乃至ＩＥ１−５の各々は第１センサー部ＳＰ１及び第１連結部ＣＰ１を含む。第２感知電極ＩＥ２−１乃至ＩＥ２−４の各々は第２センサー部ＳＰ２及び第２連結部ＣＰ２を含む。第１センサー部ＳＰ１の中で第１電極の両端に配置された２つの第１センサー部は中央に配置された第１センサー部に比べて小さいサイズ、例えば１／２サイズを有する。第２センサー部ＳＰ２の中で第２電極の両端に配置された２つの第２センサー部は中央に配置された第２センサー部に比べて小さいサイズ、例えば１／２サイズを有することができる。
【０１４１】
図９Ｂには一実施形態に係る第１感知電極ＩＥ１−１乃至ＩＥ１−５と第２感知電極ＩＥ２−１乃至ＩＥ２−４を図示したが、それ形状は制限されない。本発明の一実施形態で第１感知電極ＩＥ１−１乃至ＩＥ１−５と第２感知電極ＩＥ２−１乃至ＩＥ２−４はセンサー部と連結部が区分されない形状（例えば、バー形状）を有することができる。斜方形状の第１センサー部ＳＰ１と第２センサー部ＳＰ２とを例示的に図示したが、これに制限されず、第１センサー部ＳＰ１と第２センサー部ＳＰ２とは異なる多角形状を有することができる。
【０１４２】
１つの第１感知電極内で第１センサー部ＳＰ１は第２方向ＤＲ２に沿って配列され、１つの第２感知電極内で第２センサー部ＳＰ２は第１方向ＤＲ１に沿って配列される。第１連結部ＣＰ１の各々は隣接する第１センサー部ＳＰ１を連結し、第２連結部ＣＰ２の各々は隣接する第２センサー部ＳＰ２を連結する。
【０１４３】
第１信号ラインＳＬ１−１乃至ＳＬ１−５は第１感知電極ＩＥ１−１乃至ＩＥ１−５の一端に各々接続される。第２信号ラインＳＬ２−１乃至ＳＬ２−４は第２感知電極ＩＥ２−１乃至ＩＥ２−４の両端に接続される。本発明の一実施形態で第１信号ラインＳＬ１−１乃至ＳＬ１−５もやはり第１感知電極ＩＥ１−１乃至ＩＥ１−５の両端に接続されることができる。本発明の一実施形態で第２信号ラインＳＬ２−１乃至ＳＬ２−４は第２感知電極ＩＥ２−１乃至ＩＥ２−４の一端のみに各々接続されてもよい。
【０１４４】
本実施形態によれば、第２感知電極ＩＥ２−１乃至ＩＥ２−４の一端のみに各々接続された第２信号ラインＳＬ２−１乃至ＳＬ２−４を含む入力感知層ＩＳＬに比べてセンシング感度を向上させることができる。第２感知電極ＩＥ２−１乃至ＩＥ２−４は第１感知電極ＩＥ１−１乃至ＩＥ１−５に比べて長さが長いので、検出信号（又は送信信号）の電圧降下が発生し、したがってセンシング感度が低下されることがある。本実施形態によれば、第２感知電極ＩＥ２−１乃至ＩＥ２−４の両端に接続された第２信号ラインＳＬ２−１乃至ＳＬ２−４を通じて検出信号（又は伝送信号）を提供するので、検出信号（又は送信信号）の電圧降下を防止してセンシング感度の低下を防止することができる。
【０１４５】
第１信号ラインＳＬ１−１乃至ＳＬ１−５及び第２信号ラインＳＬ２−１乃至ＳＬ２−４はライン部ＳＬ−Ｌとパッド部ＳＬ−Ｐを含む。パッド部ＳＬ−Ｐはパッド領域ＮＤＡ−ＰＤに整列される。
【０１４６】
一方、本発明の一実施形態で第１信号ラインＳＬ１−１乃至ＳＬ１−５及び第２信号ラインＳＬ２−１乃至ＳＬ２−４は別に製造されて結合される回路基板等によって代替されてもよい。
【０１４７】
図９Ｃに図示されたように、第１導電層ＩＳ−ＣＬ１は第１連結部ＣＰ１を含む。第２導電層ＩＳ−ＣＬ２は第１センサー部ＳＰ１及び第２連結部ＣＰ２を含む。第２導電層ＩＳ−ＣＬ２は未図示された第２センサー部ＳＰ２をさらに含む。第２感知電極ＩＥ２−１乃至ＩＥ２−４の各々は一体の形状を有する。第１センサー部ＳＰ１は第２感知電極ＩＥ２−１乃至ＩＥ２−４と離隔される。
【０１４８】
同一な層上に配置された導電パターンは同一な工程を通じて形成されることができ、同一な材料を含むことができ、同一な積層構造を有することができる。上述した入力感知層ＩＳＬの構成の積層順序は変更されることができる。本発明の一実施形態で上部絶縁層ＴＦＬ上に第１センサー部ＳＰ１及び第２連結部ＣＰ２が直接配置されることができる。上部絶縁層ＴＦＬ上に第１センサー部ＳＰ１及び第２連結部ＣＰ２をカバーする第１絶縁層ＩＳ−ＩＬ１が配置される。第１絶縁層ＩＳ−ＩＬ１上に配置された第１連結部ＣＰ１は第１連結コンタクトホールＣＮＴ−Ｉを通じて第１センサー部ＳＰ１に電気的に接続されることができる。
【０１４９】
図９Ｄに図示されたように、第１感知電極ＩＥ１−１乃至ＩＥ１−５及び第２感知電極ＩＥ２−１乃至ＩＥ２−４はメッシュ形状を有する。第１感知電極ＩＥ１−１乃至ＩＥ１−５及び第２感知電極ＩＥ２−１乃至ＩＥ２−４がメッシュ形状を有することによって第２電極ＣＥ（図８Ｃ参照）との寄生キャパシタンスを減少させることができる。また、第１感知電極ＩＥ１−１乃至ＩＥ１−５及び第２感知電極ＩＥ２−１乃至ＩＥ２−４は発光領域ＰＸＡに重畳しないので、表示装置ＤＤの使用者に視認されない。
【０１５０】
メッシュ形状の第１感知電極ＩＥ１−１乃至ＩＥ１−５及び第２感知電極ＩＥ２−１乃至ＩＥ２−４は低温工程が可能な銀、アルミニウム、銅、クロム、ニッケル、チタニウム等を含むことができ、これに限定されない。連続工程で入力感知層ＩＳＬを形成しても、有機発光ダイオードＯＬＥＤ（図８Ｃ参照）の損傷を防止することができる。
【０１５１】
第１感知電極ＩＥ１−１乃至ＩＥ１−５及び第２感知電極ＩＥ２−１乃至ＩＥ２−４のメッシュ線は発光領域ＰＸＡに対応する開口部を定義する。
【０１５２】
図９Ａ乃至図９Ｄの入力感知層ＩＳＬは第１導電層ＩＳ−ＣＬ１及び第２導電層ＩＳ−ＣＬ２を含む２層導電層構造の静電容量方式タッチセンサーを例示的に説明したが、これに制限されない。本発明の一実施形態で入力感知層ＩＳＬは１層導電層構造を含む静電容量方式タッチセンサーである。
【０１５３】
１層導電層構造のタッチセンサーは複数の感知電極ＩＥ（以下、感知電極）及び複数の信号ラインＳＬ（以下、信号ライン）を含むことができる。感知電極は固有の座標情報を有する。例えば、感知電極はマトリックス状に配列されることができ、信号ラインに各々接続される。感知電極はメッシュ形状を有することができ、セルフキャップ方式に駆動されることができる。
【０１５４】
以上では本発明の望ましい実施形態を参照して説明したが、該当技術分野の熟練された当業者又は該当技術分野に通常の知識を有する者であれば、後述される特許請求の範囲に記載された本発明の思想及び技術領域から逸脱しない範囲内で本発明を多様に修正及び変更させることを理解させることができる。
【０１５５】
したがって、本発明の技術的範囲は明細書の詳細な説明に記載された内容に限定されることではなく、特許請求の範囲によって定まれなければならない。
【符号の説明】
【０１５６】
ＷＰ            ウインドウパネル
ＲＰＬ  反射防止層
ＩＳＬ  入力感知層
ＤＰ            表示パネル
ＯＬＥＤ        有機発光ダイオード
ＳＧＬ  信号ライン
ＴＦＥ  薄膜封止層
ＲＴＤ−Ｕ      上部リターダ
【図１Ａ】
2020034916.tif 000009
【図１Ｂ】
2020034916.tif 000010
【図１Ｃ】
2020034916.tif 000011
【図２Ａ】
2020034916.tif 000012
【図２Ｂ】
2020034916.tif 000013
【図３Ａ】
2020034916.tif 000014
【図３Ｂ】
2020034916.tif 000015
【図４Ａ】
2020034916.tif 000016
【図４Ｂ】
2020034916.tif 000017
【図４Ｃ】
2020034916.tif 000018
【図４Ｄ】
2020034916.tif 000019
【図４Ｅ】
2020034916.tif 000020
【図４Ｆ】
2020034916.tif 000021
【図５】
2020034916.tif 000022
【図６Ａ】
2020034916.tif 000023
【図６Ｂ】
2020034916.tif 000024
【図７】
2020034916.tif 000025
【図８Ａ】
2020034916.tif 000026
【図８Ｂ】
2020034916.tif 000027
【図８Ｃ】
2020034916.tif 000028
【図９Ａ】
2020034916.tif 000029
【図９Ｂ】
2020034916.tif 000030
【図９Ｃ】
2020034916.tif 000031
【図９Ｄ】
2020034916.tif 000032